(57)【要約】【課題】ユーザが所望の印刷を行う際の操作負担を軽減する印刷システムを提供する。【解決手段】印刷システム１０は、この印刷システム１０を構成する端末装置２００と印刷装置１００とが無線ＬＡＮにより通信可能か否かを検査する検査部２４０と、検査部２４０により肯定的な検査結果が得られた場合に所定の印刷対象を印刷することとなる印刷部１２０とを備え、検査部２４０が肯定的な検査結果が得られない場合は一定条件下で検査を繰り返し行うことで、端末装置２００が印刷装置１００との通信可能範囲内に入ったら印刷を行う。【選択図】図２
2016029545.tif 000002
【特許請求の範囲】
【請求項１】
端末装置と印刷装置とを備える印刷システムであって、
前記端末装置と前記印刷装置とが無線ＬＡＮにより通信可能か否かを検査する検査部と、
前記検査部により肯定的な検査結果が得られた場合に所定の印刷対象を印刷する印刷部とを備え、
前記検査部は、肯定的な検査結果が得られない場合は一定条件下で前記検査を再度行う
印刷システム。
【請求項２】
所定の予約印刷機能を用いる予約指示を受け付ける受付部を有し、
前記受付部により前記予約指示が受け付けられた場合には、前記検査部は、肯定的な検査結果が得られるまで前記検査を繰り返し、
前記受付部により前記予約指示が受け付けられていない場合には、前記検査部は、一定回数を超えて前記検査を繰り返さない
請求項１記載の印刷システム。
【請求項３】
前記印刷装置は、第１アクセスポイントとビーコン信号の出力強度が第１アクセスポイントより小さい第２アクセスポイントとを有し、
前記受付部により前記予約指示が受け付けられた場合には、前記検査部は、第２アクセスポイントを介した無線ＬＡＮにより通信可能か否かにより前記検査を行い、
前記受付部により前記予約指示が受け付けられていない場合には、前記検査部は、第１アクセスポイントを介した無線ＬＡＮにより通信可能か否かにより前記検査を行う
請求項１記載の印刷システム。
【請求項４】
印刷対象を特定する特定部と、
前記特定部により印刷対象が特定された場合に、特定の印刷装置と無線ＬＡＮにより通信可能か否かを検査する検査部と、
前記検査部により肯定的な検査結果が得られた場合に前記特定部により特定された印刷対象を示す印刷情報を前記印刷装置に送信することで当該印刷装置に当該印刷対象を印刷させる送信部とを備え、
前記検査部は、肯定的な検査結果が得られない場合は一定条件下で前記検査を再度行う
端末装置。
【請求項５】
前記端末装置は更に、所定の予約印刷機能を用いる予約指示を受け付ける受付部を備え、
前記受付部により前記予約指示が受け付けられた場合には、前記検査部は、肯定的な検査結果が得られるまで前記検査を繰り返し、
前記受付部により前記予約指示が受け付けられていない場合には、前記検査部は、一定回数を超えて前記検査を繰り返さない
請求項４記載の端末装置。
【請求項６】
前記端末装置は更に、１又は複数のデータファイルを記憶する記憶部を備え、
前記特定部は、前記記憶部に記憶されたデータファイルのうち印刷されていないデータファイルを前記印刷対象として特定する
請求項５記載の端末装置。
【請求項７】
前記特定部は、前記記憶部に記憶された印刷されておらずデータファイルの生成時刻が所定時間間隔以内の複数のデータファイルが存在する場合には当該複数のデータファイルのうち一部のデータファイルのみを前記印刷対象として特定する
請求項６記載の端末装置。
【請求項８】
前記送信部は、前記検査部により肯定的な検査結果が得られた場合において前回印刷情報を前記印刷装置に送信してから所定期間以上経過しているときに限って前記特定部により特定された印刷対象を示す印刷情報を前記印刷装置に送信する
請求項６記載の端末装置。
【請求項９】
前記端末装置は更に、前記特定の印刷装置と無線ＬＡＮにより通信可能でない場合において所定の計測を行って計測結果に係るデータファイルを前記記憶部に記憶させる計測部を備える
請求項６記載の端末装置。
【請求項１０】
前記受付部は更に、前記予約指示が受け付けられた後において前記予約印刷機能の利用を停止する予約解除指示を受け付け、
前記受付部により前記予約指示が受け付けられた場合であっても前記予約解除指示が受け付けられたときには、前記検査部は、一定回数を超えて前記検査を繰り返さない
請求項５記載の端末装置。
【請求項１１】
前記印刷装置は、第１アクセスポイントとビーコン信号の出力強度が第１アクセスポイントより小さい第２アクセスポイントとを有し、
前記受付部により前記予約指示が受け付けられた場合には、前記検査部は、第２アクセスポイントを介した無線ＬＡＮにより通信可能か否かにより前記検査を行い、
前記受付部により前記予約指示が受け付けられていない場合には、前記検査部は、第１アクセスポイントを介した無線ＬＡＮにより通信可能か否かにより前記検査を行う
請求項５記載の端末装置。
【請求項１２】
印刷対象を示す印刷情報及び第２端末装置の識別情報を第１端末装置から受信することにより取得する取得部と、
前記識別情報に基づいて識別される第２端末装置と無線ＬＡＮにより通信可能か否かを検査する検査部と、
前記検査部により肯定的な検査結果が得られた場合に前記印刷情報に基づき前記印刷対象を印刷する印刷部とを備え、
前記検査部は、肯定的な検査結果が得られるまで前記検査を繰り返す
印刷装置。
【発明の詳細な説明】
【技術分野】
【０００１】
本発明は、端末装置からの指示に基づいて印刷を行う印刷システムに関する。
【背景技術】
【０００２】
従来、外部記憶装置が印刷装置に挿入された場合に外部記憶装置に格納された情報を印刷する印刷装置が知られている（例えば、特許文献１参照）。また、携帯電話機が印刷装置に接続された場合に携帯電話機に保持された情報を印刷する印刷装置が知られている（例えば、特許文献２参照）。
【先行技術文献】
【特許文献】
【０００３】
【特許文献１】特開２０１２−１２１１８９号公報
【特許文献２】特開２０００−３１８２７２号公報
【発明の概要】
【発明が解決しようとする課題】
【０００４】
上述の従来の印刷装置で印刷するためにはユーザは、外部記憶装置或いは携帯電話機を印刷装置と接続する必要があり、手間がかかる。また、ユーザが印刷装置と離れた場所（外出先等）に居る場合において印刷を所望する文書、画像等を端末装置等により表示して確認していた場合でも、ユーザは印刷装置に近付いて（外出から戻る等して）その端末装置等を印刷装置と接続してから印刷を所望する文書、画像等を参照して印刷の操作をする必要があり、手間がかかる。
【０００５】
そこで、本発明は、ユーザが所望の印刷を行う際の操作負担を軽減するための印刷装置及び端末装置を含む印刷システムを提供する。
【課題を解決するための手段】
【０００６】
上記目的を達成するために、本発明の一態様に係る印刷システムは、端末装置と印刷装置とを備える印刷システムであって、前記端末装置と前記印刷装置とが無線ＬＡＮにより通信可能か否かを検査する検査部と、前記検査部により肯定的な検査結果が得られた場合に所定の印刷対象を印刷する印刷部とを備え、前記検査部は、肯定的な検査結果が得られない場合は一定条件下で前記検査を再度行う印刷システムである。
【０００７】
この構成によれば、印刷装置と無線ＬＡＮにより通信可能な範囲に端末装置が入れば印刷対象が印刷されるので、ユーザはあまり手間をかけずに印刷できるようになる。
【０００８】
例えば、印刷システムは、所定の予約印刷機能を用いる予約指示を受け付ける受付部を有し、前記受付部により前記予約指示が受け付けられた場合には、前記検査部は、肯定的な検査結果が得られるまで前記検査を繰り返し、前記受付部により前記予約指示が受け付けられていない場合には、前記検査部は、一定回数を超えて前記検査を繰り返さないものであっても良い。
【０００９】
これにより、印刷装置から遠く離れた位置に所在するときにユーザは端末装置に予約印刷機能を用いる指示を行えば、印刷装置と端末装置とを接続する操作を行わなくても印刷装置と通信可能な範囲に端末装置が入り次第印刷されるので、ユーザの負担が少なくなる。また、予約印刷機能を用いない通常の印刷においては、印刷装置と無線ＬＡＮにより通信できなければ端末装置は一定限度で通信可能性の検査を中断するので、不要な検索による電力消費を抑制できる。
【００１０】
また、前記印刷装置は、第１アクセスポイントとビーコン信号の出力強度が第１アクセスポイントより小さい第２アクセスポイントとを有し、前記受付部により前記予約指示が受け付けられた場合には、前記検査部は、第２アクセスポイントを介した無線ＬＡＮにより通信可能か否かにより前記検査を行い、前記受付部により前記予約指示が受け付けられていない場合には、前記検査部は、第１アクセスポイントを介した無線ＬＡＮにより通信可能か否かにより前記検査を行うものであっても良い。
【００１１】
これにより、予約印刷機能を用いた印刷において、端末装置を携帯するユーザが印刷装置に近付いている場合（予約印刷機能を用いない通常の印刷が可能な距離よりも近付いている場合）に限って印刷されるようになる。従って、印刷物がそのユーザ以外の者に閲覧されることを防止することができる。
【００１２】
また、本発明の一態様に係る端末装置は、印刷対象を特定する特定部と、前記特定部により印刷対象が特定された場合に、特定の印刷装置と無線ＬＡＮにより通信可能か否かを検査する検査部と、前記検査部により肯定的な検査結果が得られた場合に前記特定部により特定された印刷対象を示す印刷情報を前記印刷装置に送信することで当該印刷装置に当該印刷対象を印刷させる送信部とを備え、前記検査部は、肯定的な検査結果が得られない場合は一定条件下で前記検査を再度行う端末装置である。
【００１３】
この構成によれば、印刷装置と無線ＬＡＮにより通信可能な範囲に端末装置が入れば印刷対象を示す印刷情報が印刷装置に送信されて印刷装置に印刷されることとなるので、ユーザはあまり手間をかけずに印刷できるようになる。
【００１４】
例えば、前記端末装置は更に、所定の予約印刷機能を用いる予約指示を受け付ける受付部を備え、前記受付部により前記予約指示が受け付けられた場合には、前記検査部は、肯定的な検査結果が得られるまで前記検査を繰り返し、前記受付部により前記予約指示が受け付けられていない場合には、前記検査部は、一定回数を超えて前記検査を繰り返さないものであっても良い。
【００１５】
これにより、印刷装置から離れた位置に所在するときにユーザは端末装置に予約印刷機能を用いる指示を行えば、印刷装置と端末装置とを接続する操作を行わなくても印刷装置と通信可能な範囲に端末装置が入り次第印刷が実行されるのでユーザの負担が少なくなる。また、予約印刷機能を用いない通常の印刷においては、不要な検索の繰り返しによる端末装置の電力消費を抑制できる。
【００１６】
また、前記端末装置は更に、１又は複数のデータファイルを記憶する記憶部を備え、前記特定部は、前記記憶部に記憶されたデータファイルのうち印刷されていないデータファイルを前記印刷対象として特定するものであっても良い。
【００１７】
これにより、例えば印刷装置から離れているときに端末装置において生成又は更新した文書、画像等が、端末装置が印刷装置に近付いたときに印刷されるようになる。
【００１８】
また、前記特定部は、前記記憶部に記憶された印刷されておらずデータファイルの生成時刻が所定時間間隔以内の複数のデータファイルが存在する場合には当該複数のデータファイルのうち一部のデータファイルのみを前記印刷対象として特定するものであっても良い。
【００１９】
これにより、例えば端末装置において連続的に撮影された写真は間引いて印刷されるようになるので、印刷される用紙の消費量を抑えてユーザは写真で撮影した状況の概要を効率的に把握できるようになる。
【００２０】
また、前記送信部は、前記検査部により肯定的な検査結果が得られた場合において前回印刷情報を前記印刷装置に送信してから所定期間以上経過しているときに限って前記特定部により特定された印刷対象を示す印刷情報を前記印刷装置に送信するものであっても良い。
【００２１】
これにより、端末装置において随時生成される文書、画像がある程度まとめて印刷されるようになり得るため、例えば印刷される用紙の消費量が削減され得る。
【００２２】
また、前記端末装置は更に、前記特定の印刷装置と無線ＬＡＮにより通信可能でない場合において所定の計測を行って計測結果に係るデータファイルを前記記憶部に記憶させる計測部を備えるものであっても良い。
【００２３】
これにより、端末装置が印刷装置の通信可能範囲から離れているときに、例えば温度、湿度、生体情報、位置等を各種センサで計測することができ、その計測結果が印刷対象とされ得るようになる。
【００２４】
また、前記受付部は更に、前記予約指示が受け付けられた後において前記予約印刷機能の利用を停止する予約解除指示を受け付け、前記受付部により前記予約指示が受け付けられた場合であっても前記予約解除指示が受け付けられたときには、前記検査部は、一定回数を超えて前記検査を繰り返さないものであっても良い。
【００２５】
これにより、ユーザは予約印刷機能の利用を解除することができ、解除することで不要な検索の繰り返しによる端末装置の電力消費を抑制できるようになる。
【００２６】
また、前記印刷装置は、第１アクセスポイントとビーコン信号の出力強度が第１アクセスポイントより小さい第２アクセスポイントとを有し、前記受付部により前記予約指示が受け付けられた場合には、前記検査部は、第２アクセスポイントを介した無線ＬＡＮにより通信可能か否かにより前記検査を行い、前記受付部により前記予約指示が受け付けられていない場合には、前記検査部は、第１アクセスポイントを介した無線ＬＡＮにより通信可能か否かにより前記検査を行うものであっても良い。
【００２７】
これにより、予約印刷機能を用いて端末装置を携帯するユーザが印刷装置に近付いている場合（予約印刷機能を用いない通常の印刷が可能な距離よりも近付いている場合）に限って端末装置から印刷情報の印刷装置への送信がなされるようになり、印刷装置から出力される印刷物がそのユーザ以外の者に閲覧されることを防止することができる。
【００２８】
また、本発明の一態様に係る印刷装置は、印刷対象を示す印刷情報及び第２端末装置の識別情報を第１端末装置から受信することにより取得する取得部と、前記識別情報に基づいて識別される第２端末装置と無線ＬＡＮにより通信可能か否かを検査する検査部と、前記検査部により肯定的な検査結果が得られた場合に前記印刷情報に基づき前記印刷対象を印刷する印刷部とを備え、前記検査部は、肯定的な検査結果が得られるまで前記検査を繰り返す印刷装置である。
【００２９】
この構成によれば、第１端末装置により指定された印刷対象を第２端末装置が無線ＬＡＮで通信可能な範囲に近付いたときに印刷するので、その印刷対象である例えば画像、文書等を第２端末装置のユーザに閲覧させることができるようになる。
【００３０】
なお、本発明は、このような特徴的な処理装置（印刷装置、端末装置等）或いは処理部を備える印刷システムとして実現することができるだけでなく、印刷システムに含まれる特徴的な処理装置或いは処理部が実行する処理をステップとする印刷方法として実現することができる。また、各処理装置に含まれる特徴的な処理部としてコンピュータを機能させるためのプログラムまたは印刷方法に含まれる特徴的なステップをコンピュータに実行させるプログラムとして実現することもできる。そして、そのようなプログラムを、ＣＤ−ＲＯＭ（Compact Disc-Read Only Memory）等のコンピュータ読み取り可能な非一時的な記録媒体やインターネット等の通信ネットワークを介して流通させることができるのは、言うまでもない。
【発明の効果】
【００３１】
本発明の一態様に係る印刷システムによると、ユーザが所望の印刷を行う際の手間を軽減できる。
【図面の簡単な説明】
【００３２】
【図１】実施の形態１に係る印刷システムの概略図である。
【図２】実施の形態１に係る印刷装置及び端末装置の機能ブロック図である。
【図３】ファイル情報の内容例を示す図である。
【図４】印刷を指示するための端末装置の画面例を示す図である。
【図５】実施の形態１に係る端末装置の印刷制御動作を示すフローチャートである。
【図６】実施の形態２に係る印刷装置及び端末装置の機能ブロック図である。
【図７】実施の形態２に係る端末装置の計測動作を示すフローチャートである。
【図８】実施の形態２に係る端末装置の印刷制御動作を示すフローチャートである。
【図９】実施の形態２に係る印刷装置の印刷例を示す図である。
【図１０】実施の形態３に係る印刷システムの概略図である。
【図１１】実施の形態３に係る印刷装置の機能ブロック図である。
【図１２】実施の形態３に係る印刷装置の印刷動作を示すフローチャートである。
【図１３】他の実施の形態に係る印刷システムの概略図である。
【発明を実施するための形態】
【００３３】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３４】
本実施の形態では、ユーザが文書、画像等の印刷対象を少ない操作で印刷できるようにした印刷システムについて説明する。
【００３５】
（実施の形態１）
以下、実施の形態１に係る印刷システム１０について、図１〜図５を用いて説明する。
【００３６】
図１は、印刷システム１０の一例を示す概略図である。
【００３７】
印刷システム１０は、図１に示すように、印刷装置１００及び端末装置２００を備える。
【００３８】
印刷装置１００は、印刷対象を示す印刷情報を受信してその印刷対象を印刷するプリンタである。印刷装置１００は、印刷機構（給紙カセット、用紙搬送用等の各種ローラー、画像形成部、排紙トレイ等）、印刷機構を制御するプロセッサ、メモリ、及び、無線回路を備える。画像形成部が用紙に画像を形成するために用いる印刷方式は、レーザー方式、インクジェット方式、熱転写方式等のいずれであっても良い。メモリは、プログラム及びデータを予め保持しているＲＯＭ（Read Only Memory）、プログラムの実行に際して使用される一時記憶用のＲＡＭ（Random Access Memory）、データを保持する不揮発性メモリ（例えばフラッシュメモリ）等である。プロセッサはメモリに格納されたプログラムを実行して印刷機構の制御を行う。無線回路は無線アンテナを含み、無線ＬＡＮ（Local Area Network）のアクセスポイントとして働く。
【００３９】
端末装置２００は、スマートフォン、タブレット、ノートブック型ＰＣ（Personal Computer）等の可搬性を有する情報処理装置（図１の例ではスマートフォン）であり、プロセッサ、メモリ、ディスプレイ（例えばＬＣＤ（Liquid Crystal Display））、入力装置（例えばタッチパネル）及び無線回路を備える。メモリは、プログラム及びデータを予め保持しているＲＯＭ、プログラムの実行に際して使用される一時記憶用のＲＡＭ、データを保持する不揮発性メモリ等である。プロセッサは、メモリに格納されたプログラムを実行して端末装置２００の各部を制御する。
【００４０】
上述の構成（ハードウェア）を備える印刷装置１００及び端末装置２００は、機能的には次のような構成を備える。図２は、印刷装置１００及び端末装置２００の機能構成を示す機能ブロック図である。
【００４１】
図２に示すように、印刷装置１００は、印刷情報を受信して印刷情報に基づき印刷対象を印刷するために、機能的には無線部１１０及び印刷部１２０を備える。
【００４２】
無線部１１０は、プログラムを実行するプロセッサと、無線アンテナを含む無線回路とにより実現され、無線ＬＡＮのアクセスポイントとして機能する。即ち、無線部１１０は、所定のＳＳＩＤ（Service Set Identifier）を含むビーコン信号を一定時間間隔で周期的に送信し、ビーコン信号の到達距離内に所在する端末装置と通信する機能を有する。更に、無線部１１０は、端末装置２００から印刷情報が送信された場合にこれを受信して印刷部１２０に伝える機能を有する。なお、ビーコン信号の送信出力は、所定の強度（例えば１ｍＷ）に抑制していても良い。送信出力を抑制することで、印刷装置１００から遠く離れた端末装置からの印刷制御を抑止して、印刷物が印刷指示をしたユーザ以外の者に閲覧されることを防止できる。なお、送信出力の大きさ（強度）に応じて図１に示した通信可能範囲の境界を示す円１０１の半径が変化する。
【００４３】
印刷部１２０は、プログラムを実行するプロセッサと印刷機構とにより実現され、無線部１１０から印刷情報が伝えられると、印刷情報が示す印刷対象を用紙に印刷する機能を有する。
【００４４】
端末装置２００は、印刷対象となり得るデータファイル（データ）を保持して印刷対象を示す印刷情報を印刷装置１００に無線送信して印刷させるために、機能的には記憶部２１０、受付部２２０、特定部２３０、検査部２４０及び送信部２５０を備える。
【００４５】
記憶部２１０は、メモリの一領域により実現され、各種データファイル（データ）を格納する機能を有する。なお、記憶部２１０は、メモリの他にハードディスク等の記録媒体の一領域で実現されても良い。図３は、記憶部２１０に格納されているデータファイルのファイル情報２８０の内容例を示す図である。ファイル情報２８０は、例えばファイルシステムで管理されるデータファイルの情報であり、ファイル名２８１及び日時２８２を含んで構成される。日時２８２は、データファイルが生成又は更新された日時を示す。図３の例では、端末装置２００に、「Ａ．ｄｏｃ」、「Ｂ．ｄｏｃ」等の文書データファイル、及び、「Ｘ．ｊｐｇ」、「Ｙ．ｊｐｇ」等の画像データファイルが保存されていることを示している。なお、端末装置２００に保持されたデータファイルのうち、印刷対象となり得るデータファイルをファイルの種別（文書、画像等）或いはファイルの格納位置（パス、フォルダ等）によって一定範囲に制限しても良い。
【００４６】
受付部２２０は、プログラムを実行するプロセッサ、ディスプレイ、入力装置等で実現され、ユーザによる印刷指示を受け付ける機能を有する。図４に印刷指示のための端末装置２００のＧＵＩ（Graphical User Interface）画面の例を示す。画面３００は、印刷対象のデータファイルを指定するための入力フィールド３０１、予約印刷機能の利用を指定するためのチェックボックス３０２、印刷の実行を指示するための印刷ボタン３０３等を含んで構成される。受付部２２０は、このようなＧＵＩ画面によりユーザの印刷指示を受け付ける。この印刷指示は、印刷対象の指定と、任意の予約印刷機能の利用指示（予約指示）とを含んでおり、受付部２２０は更に印刷対象を特定部２３０に伝達し、予約指示がなされた場合にその旨を検査部２４０に伝達する機能を有する。なお、図４の画面例は、ユーザが例えば外出先で作成した文書データファイル「Ａ．ｄｏｃ」を印刷対象として予約印刷機能を利用して印刷を予約する例を表している。なお、印刷指示を受け付けるためのＧＵＩ画面においては、ユーザが指定した印刷対象の内容を画面の一部に表示してユーザに確認させることとしても良い。
【００４７】
特定部２３０は、プログラムを実行するプロセッサにより実現され、記憶部２１０に格納されたデータファイルのうち印刷対象とするデータファイルを特定し、特定したデータファイルを送信部２５０に伝える機能を有する。
【００４８】
検査部２４０は、プログラムを実行するプロセッサ、無線回路等により実現され、特定部２３０により印刷対象が特定された場合に、印刷装置１００と無線ＬＡＮにより通信可能か否かを検査する機能を有する。この検査は一定条件下で繰り返し行われる。この検査での通信相手となる印刷装置１００は、予め端末装置２００のユーザによって特定された印刷装置である。この特定は、例えば、印刷装置１００の送信するビーコン信号のＳＳＩＤの値、印刷装置に固有の識別情報等によりなされる。
【００４９】
送信部２５０は、プログラムを実行するプロセッサ、無線回路等により実現され、検査部２４０により肯定的な検査結果（即ち印刷装置１００と通信可能であるという検査結果）が得られた場合に、特定部２３０により特定された印刷対象を示す印刷情報を印刷装置１００に送信する機能を有する。この送信部２５０による印刷情報の送信により、印刷装置１００では印刷対象の印刷が行われる。送信部２５０が送信する印刷情報は、例えば印刷対象であるデータファイルの内容である。なお、印刷装置１００を、インターネット等のネットワークを介して外部装置からデータを取得可能な構成とする場合においては、印刷情報は、例えば印刷対象であるデータの所在を示すアクセス用の情報（リンク情報）であっても良い。この場合に印刷装置１００は、リンク情報である印刷情報に基づいて外部装置にアクセスすることにより印刷対象のデータを取得して印刷する。
【００５０】
以下、上述の構成を備える印刷システム１０の動作について、図５に即して端末装置２００を中心として説明する。図５は、端末装置２００の印刷制御動作を示すフローチャートである。
【００５１】
ユーザによる印刷指示が端末装置２００の受付部２２０により受け付けられた場合に、特定部２３０は、印刷指示としてユーザにより指定されたデータファイルを印刷対象として特定する（ステップＳ１）。
【００５２】
印刷対象が特定されると、検査部２４０は、印刷装置１００と無線ＬＡＮにより通信可能か否かを検査する（ステップＳ２）。
【００５３】
このステップＳ２での検査の結果が、印刷装置１００と通信可能であった場合には（ステップＳ３）、送信部２５０は、印刷対象を示す印刷情報を、無線ＬＡＮを介して印刷装置１００に送信する（ステップＳ４）。これにより、印刷装置１００において印刷部１２０により、印刷対象が用紙に印刷される。なお、ステップＳ２での検査において、端末装置２００が印刷装置１００と通信可能であるという検査結果が得られるためには、端末装置２００は、図１に示した通信可能範囲の境界を示す円１０１の内部に所在している必要がある。従って、端末装置２００が、印刷装置１００が設置された施設内（例えばユーザの自宅、職場等の屋内）から出て外出先に所在するユーザに携帯されている状態であれば、ステップＳ２での検査の結果は、印刷装置１００と通信可能でないことになる。
【００５４】
ステップＳ２での検査の結果が、印刷装置１００と通信可能でない場合には、検査部２４０は、既に受付部２２０により予約指示を含む印刷指示が受け付けられていたか否かを判別し（ステップＳ５）、受け付けられていれば、再度、ステップＳ２に戻り検査を行う。
【００５５】
このステップＳ２、Ｓ３、Ｓ５における処理により、予約指示が受け付けられている場合には検査部２４０は印刷装置１００と通信可能であるという検査結果が得られるまで検査を繰り返す。なお、検査の繰り返しは、一定時間間隔（例えば１分間隔等）で行われることとしても良い。例えば、ユーザが外出先で図４に示した画面例のように、文書データファイル「Ａ．ｄｏｃ」を指定し、予約印刷機能の利用指示（予約指示）を含む印刷指示をした場合には、ステップＳ２での検査が繰り返されることになる。この後、ユーザが外出先から印刷装置１００が設置された施設内に戻って来たときに、端末装置２００は、印刷装置１００に印刷対象を示す印刷情報を送信する（ステップＳ４）。従って、端末装置２００を携帯しているユーザが外出先で予約指示をした後に、印刷装置の近く（円１０１の内部）に戻るだけで、印刷装置１００により印刷対象が印刷されるようになる。つまり、予約印刷機能は、印刷ができない状態で印刷対象が特定された場合において印刷できるようになり次第印刷を実行するように働く機能である。従って、例えばユーザが、外出先で撮影した画像（写真）を予約印刷機能で印刷する指示を外出先で行っておけば、外出先から印刷装置の近くに戻ったときに即座に写真が印刷されるので、ユーザは用紙に印刷された写真を迅速に確認することができる。
【００５６】
また、ステップＳ２での検査の結果が、印刷装置１００と通信可能でない場合において、ユーザが予約印刷機能を利用していない場合（予約指示が受け付けられていない場合）には、ステップＳ５からステップＳ６に進み、端末装置２００は、ディスプレイに印刷エラーの旨を表示して印刷情報の送信を行わずに印刷制御動作を終了する。
【００５７】
このステップＳ５、Ｓ６における処理により、ユーザが外出先でデータファイルについての通常の印刷（予約印刷機能を利用しない印刷）を行おうと印刷指示をした場合には、印刷エラーとなり、印刷は行われない。
【００５８】
（実施の形態２）
以下、実施の形態２に係る印刷システム１０ａについて、主に図６〜図９を用いて説明する。実施の形態２に係る印刷システム１０ａは、実施の形態１に係る印刷システム１０を一部変形したものであり、端末装置２００の代わりに端末装置２００ａを含んで構成される。端末装置２００ａは、端末装置２００のハードウェア構成に加えて、画像撮影するイメージセンサ、及び、計測によりデータを生成する計測機構（ここではＧＰＳ（Global Positioning System）受信機）を備える。なお、実施の形態１と同じ構成及び処理については詳しい説明を省略する。
【００５９】
図６は、印刷システム１０ａを構成する印刷装置１００及び端末装置２００ａの機能構成を示す機能ブロック図である。
【００６０】
端末装置２００ａは、生成又は更新したデータファイル（データ）を一定条件下で印刷対象として特定して印刷装置１００に印刷させるために、機能的には記憶部２１０、受付部２２０ａ、特定部２３０ａ、検査部２４０ａ、送信部２５０及び計測部２６０を備える。
【００６１】
受付部２２０ａは、プログラムを実行するプロセッサ、ディスプレイ、入力装置等で実現され、印刷機能についてのユーザによる設定を受け付ける機能を有する。設定内容は、予約印刷機能を利用するか否か、予約印刷機能を利用する場合においては印刷対象とすべきデータファイルの種別の指定を含む。データファイルの種別は、例えば、拡張子「ｊｐｇ」で識別されるＪＰＥＧ（Joint Photographic Experts Group）形式の画像データファイルである。データファイルの種別として、例えばＧＰＳ受信機で計測された位置情報と時刻とを地図上に表すアプリケーションプログラム（以下、「移動経路計測アプリ」という。）により生成されるデータファイル（以下、「移動経路データファイル」という。）を指定しても良い。設定内容として複数の種別の指定を可能としても良い。予約印刷機能を利用しないという設定は、予約解除指示の意味、つまり、予約印刷機能を利用する設定を解除する意味を有する。
【００６２】
特定部２３０ａは、プログラムを実行するプロセッサ及びメモリにより実現され、記憶部２１０に格納されたデータファイルのうち印刷対象とするデータファイルを特定し、特定したデータファイルを送信部２５０に伝える機能を有する。特定部２３０ａは、特に、受付部２２０ａにより受け付けられた設定において指定された種別のデータファイルのうち、まだ印刷されていないデータファイル（最近の印刷時刻より後に生成又は更新されたデータファイル）を印刷対象として特定する機能を有する。特定部２３０ａは、例えば、データファイルを印刷対象としてその内容を示す印刷情報を印刷装置１００に送信した時刻をメモリに記憶しておき、まだ印刷されていないデータファイルを特定するために用いる。
【００６３】
検査部２４０ａは、プログラムを実行するプロセッサ、無線回路等により実現され、印刷装置１００と無線ＬＡＮにより通信可能か否かを検査する機能を有する。この検査は一定条件下で繰り返し行われる。
【００６４】
送信部２５０は、プログラムを実行するプロセッサ、無線回路等により実現され、検査部２４０により肯定的な検査結果（即ち印刷装置１００と通信可能であるという検査結果）が得られた場合に、特定部２３０ａにより特定された印刷対象を示す印刷情報を印刷装置１００に送信する機能を有する。
【００６５】
計測部２６０は、検査部２４０ａにより印刷装置１００と通信可能でないという検査結果を得た場合において所定の計測機構により計測を行って計測結果に係るデータファイルを生成して記憶部２１０に格納する機能を有する。この所定の計測機構は、例えば温度、湿度や人の生体情報等を計測する各種センサ（画像撮影用のイメージセンサを含む）のいずれか１以上であれば良い。ここでは、一例として計測部２６０は、ＧＰＳ受信機とＧＰＳ受信機を制御するための移動経路計測アプリを実行するプロセッサとを含んで実現されるものとする。移動経路計測アプリは、端末装置２００が、印刷装置１００の通信可能範囲の境界の外部に出た時点からその境界の内部に入るまでにおいてＧＰＳ受信機により計測した移動経路（端末装置２００を携帯するユーザの歩行経路等）を地図上に表したデータを生成するためのプログラムである。
【００６６】
図７は、端末装置２００ａの計測動作（移動経路計測アプリによる計測処理）を示すフローチャートである。以下、同図に即して、移動経路計測アプリによる計測処理を説明する。
【００６７】
まず、計測部２６０は、検査部２４０ａにより印刷装置１００と無線ＬＡＮで通信不能になったか否かを判別し（ステップＳ１１）、通信不能になったならば、ＧＰＳ受信機により端末装置２００の所在位置及び時刻の計測を開始する（ステップＳ１２）。その後、再び印刷装置１００と無線ＬＡＮで通信可能となったか否かを判別し（ステップＳ１３）、通信可能になったならば、ＧＰＳ受信機による計測を終了し（ステップＳ１４）、計測結果を地図上に表したデータファイルを生成する（ステップＳ１５）。生成されたデータファイルは例えば生成した日時を表すファイル名が付与され記憶部２１０に格納される。
【００６８】
以下、端末装置２００ａの印刷制御動作について図８に即して説明する。図８は、端末装置２００ａの印刷制御動作を示すフローチャートである。基本的に、実施の形態１に係る端末装置２００の動作と同様であるが（図５参照）、ステップＳ１が実施の形態２ではステップＳ１ａに変更されている。ここでは、図５と同一のステップ（処理手順）については詳しい説明を省略する。
【００６９】
まず、ユーザが、印刷機能についての設定として予約印刷機能を利用することを指示（予約指示）し、移動経路データファイルを指定しており、既にユーザは外出して戻ることによって移動経路データファイルが新たに生成された状態となっていることを前提として説明する。
【００７０】
端末装置２００ａの特定部２３０ａは、指定された種別のデータファイル（移動経路データファイル）のうちまだ印刷されていないデータファイルを印刷対象として特定する（ステップＳ１ａ）。
【００７１】
印刷対象が特定されると、検査部２４０ａは、印刷装置１００と無線ＬＡＮにより通信可能か否かを検査し（ステップＳ２）、印刷装置１００と通信可能であった場合には（ステップＳ３）、送信部２５０は、印刷対象を示す印刷情報を、無線ＬＡＮを介して印刷装置１００に送信する（ステップＳ４）。これにより、印刷装置１００において印刷部１２０により、印刷対象である移動経路データファイルの内容が用紙に印刷される。この結果、用紙には図９に示す地図３１０が印刷されることになる。地図３１０には、直前にユーザが端末装置２００を携帯して外出した際の歩行経路３１１と、歩行経路３１１上の計測開始地点での時刻等の情報３１２ａと、１０００ｍ地点での時刻等の情報３１２ｂと、計測終了地点での時刻等の情報３１２ｃとが記されている。従って、ユーザは、外出先から印刷装置１００の近く（無線ＬＡＮでの通信可能範囲内）に戻るだけで、外出先で端末装置２００において取得された計測結果等に関するデータファイルが印刷されることになる。
【００７２】
また、ユーザが、印刷機能についての設定として予約印刷機能を利用することを指示（予約指示）し、ＪＰＥＧ形式の画像データファイルを指定していることを前提として説明する。端末装置２００ａは、画像撮影用のイメージセンサを制御するための写真撮影アプリケーションプログラム（以下、「写真撮影アプリ」という。）をメモリに有しており、ユーザは写真撮影アプリを外出先で利用して随時写真を撮影したとする。なお、写真撮影アプリは、写真を、撮影日時をファイル名に含んだＪＰＥＧ形式の画像データファイルとして記憶部２１０に格納する。
【００７３】
この場合、端末装置２００ａの特定部２３０ａは、指定された種別のデータファイル（画像データファイル）のうちまだ印刷されていないデータファイルを印刷対象として特定する（ステップＳ１ａ）。
【００７４】
印刷対象が特定されると、検査部２４０ａは、印刷装置１００と無線ＬＡＮにより通信可能か否かを検査し（ステップＳ２）、印刷装置１００と通信可能であった場合には（ステップＳ３）、送信部２５０は、印刷対象を示す印刷情報を、無線ＬＡＮを介して印刷装置１００に送信する（ステップＳ４）。これにより、印刷装置１００において印刷部１２０により、印刷対象である画像データファイルの内容（写真）が用紙に印刷される。
【００７５】
また、ステップＳ２での検査結果として印刷装置１００と通信可能でなかった場合には、予約印刷機能を利用する指示があるという設定になっている間は（ステップＳ５）、ステップＳ２での検査を繰り返す。ステップＳ５において予約印刷機能を利用する設定になっていない場合（予約指示が解除されている場合）には、端末装置２００ａは、ステップＳ２での処理を繰り返さず、印刷制御動作を終了する。
【００７６】
このような印刷制御動作によって、前回印刷したときからの差分となる画像（写真）が印刷されるようになる。即ち、ユーザが外出先で撮影した写真は、ユーザが印刷装置１００の近く（無線ＬＡＮでの通信可能範囲内）に戻るだけで、印刷されることになる。なお、印刷されていない画像データファイルを特定部２３０ａにより特定する際に、複数の画像データファイルが特定されることとなる場合において、その各画像データファイルの内容を送信部２５０により印刷装置１００に送信して印刷させるときには、縮小印刷（いわゆるサムネイル画像を配列したインデックスの印刷）を行うこととしても良い。
【００７７】
なお、複数の画像データファイルそれぞれの生成日時の間隔の近さ等に基づいてフィルタリングして一部の画像データファイルの印刷を省略することにより、間引いて縮小印刷を行うこととしても良い。即ち、特定部２３０ａがステップＳ１ａにおいて、記憶部２１０に記憶された、印刷されておらずデータファイルの生成時刻が所定時間間隔以内の複数のデータファイルが存在する場合にはそのうち一部のデータファイルのみを印刷対象として特定することとしても良い。また、インデックスの印刷において画像数が少ないと用紙の利用効率が悪いので、前回印刷したときからの差分となる画像が特定数になるまでは印刷しないようにしても良い。また、前回印刷情報を印刷装置に送信してから所定期間以上経過しているときに限って印刷情報を印刷装置に送信することとして、前回印刷してから所定期間が経過するまでは、印刷しないようにしても良い。また、画像（写真）と移動経路とを組み合わせることで、地図上の撮影地点にサムネイル画像を配した地図を印刷対象としても良い。
【００７８】
（実施の形態３）
以下、実施の形態３に係る印刷システム１０ｂについて、主に図１０〜図１２を用いて説明する。図１０は、印刷システム１０ｂの概略図である。同図に示すように、実施の形態３に係る印刷システム１０ｂは、印刷装置１００ａ、端末装置２００ｂ及び端末装置２００ｃを含んで構成される。
【００７９】
印刷装置１００ａは、印刷対象を示す印刷情報を受信してその印刷対象を印刷するプリンタであり、ハードウェア構成は、実施の形態１で示した印刷装置１００と同様である。
【００８０】
端末装置２００ｂ及び端末装置２００ｃは、スマートフォン、タブレット、ノートブック型ＰＣ等の可搬性を有し、印刷装置１００ａと無線ＬＡＮを介して通信し得る情報処理装置（図１０の例ではスマートフォン）である。端末装置２００ｂ及び端末装置２００ｃのハードウェア構成は、実施の形態１で示した端末装置２００と同様である。各端末装置は、無線ＬＡＮでの通信に際して自装置の識別情報を送信する。なお、実施の形態１と同じ構成及び処理については詳しい説明を省略する。
【００８１】
印刷装置１００ａは、機能的には次のような構成を備える。図１１は、印刷装置１００ａの機能構成を示す機能ブロック図である。
【００８２】
図１１に示すように、印刷装置１００ａは、一の端末装置から受信した印刷情報が示す印刷対象を他の端末装置が近付いた際に印刷するために、機能的には印刷部１２０ａ、取得部１３０及び検査部１４０を備える。
【００８３】
取得部１３０は、プログラムを実行するプロセッサと、無線アンテナを含む無線回路とにより実現され、無線ＬＡＮのアクセスポイントとしての機能を含む。即ち、取得部１３０は、所定のＳＳＩＤを含むビーコン信号を一定時間間隔で周期的に送信し、ビーコン信号の到達距離内に所在する端末装置と通信する機能を有する。更に、取得部１３０は、端末装置２００ｂから印刷情報が送信された場合にこれを受信して印刷部１２０ａに伝える機能、及び、端末装置２００ｂから端末装置２００ｃの識別情報が送信された場合にこれを受信して検査部１４０に伝える機能を有する。ビーコン信号の送信出力は、所定の強度（例えば１ｍＷ）に抑制していても良い。なお、図１０の円１０１は、通信可能範囲（ビーコン信号の届く範囲）の境界を示している。
【００８４】
検査部１４０は、プログラムを実行するプロセッサ、無線回路等により実現され、取得部１３０から識別情報が伝えられるとその識別情報で識別される端末装置２００ｃと無線ＬＡＮにより通信可能か否かを検査する機能を有する。端末装置２００ｃと通信可能となるまでこの検査は繰り返し行われる。
【００８５】
印刷部１２０ａは、プログラムを実行するプロセッサと印刷機構とにより実現され、検査部１４０により端末装置２００ｃと通信可能である検査結果が得られた場合に、取得部１３０から伝えられた印刷情報が示す印刷対象を用紙に印刷する機能を有する。
【００８６】
端末装置２００ｂは、無線ＬＡＮを介して印刷対象（例えばユーザが指定したデータファイル）を示す印刷情報と端末装置２００ｃの識別情報とを印刷装置１００ａに送信する機能を有する。
【００８７】
以下、上述の構成を備える印刷システム１０ｂの動作について、図１２に即して印刷装置１００ａの印刷動作を中心として説明する。図１２は、印刷装置１００ａの印刷動作を示すフローチャートである。
【００８８】
前提として、端末装置２００ｂは、ユーザＡに携帯されており、印刷対象として特定の文書或いは画像等のデータファイルが指定され、ユーザＡに関係のあるユーザＢに携帯されている端末装置２００ｃの識別情報を保持しているものとして説明する。ユーザＢは、ユーザＡによる印刷対象の提示先となるユーザである。端末装置２００ｂは、円１０１の内側へと入って、印刷対象を示す印刷情報と端末装置２００ｃの識別情報とを印刷装置１００ａに送信する。この印刷システム１０ｂは、ユーザＡの端末装置２００ｂから送信された印刷情報に従った印刷対象を、ユーザＢ（端末装置２００ｃ）が印刷装置１００ａに近付いたときに印刷する機能を実現する。
【００８９】
まず、印刷装置１００ａの取得部１３０は、端末装置２００ｂから無線ＬＡＮを介して送信された信号を受信することにより、印刷情報と、印刷対象の提示先のユーザＢに携帯されている端末装置２００ｃの識別情報とを取得する（ステップＳ２１）。
【００９０】
次に、検査部１４０は、端末装置２００ｃと無線ＬＡＮにより通信可能か否かを検査する（ステップＳ２２）。そして、ステップＳ２２での検査の結果が、端末装置２００ｃと通信可能であるならば（ステップＳ２３）、印刷部１２０ａは、ステップＳ２１において取得された印刷情報に基づき印刷対象を印刷する（ステップＳ２４）。また、ステップＳ２２での検査の結果が、端末装置２００ｃと通信可能でない間は、ステップＳ２２での検査を繰り返す。
【００９１】
これにより、ユーザＢが、印刷装置１００ａの近く（円１０１の内部）に入るだけで、印刷装置１００ａによりユーザＡの端末装置２００ｂから指定された印刷対象が印刷されるようになる。例えばユーザＡが子供であり、ユーザＢはその子供の親であり、この親子の家庭に印刷装置１００ａが設置されており、ユーザＡ（子供）が携帯する端末装置２００ｂには子供が通う学校において教師等により文書データファイルＸが記録されて印刷対象として指定されているとする。このような場合において、ユーザＡ（子供）が学校から帰宅すると、端末装置２００ｂから文書データファイルＸを示す印刷情報と端末装置２００ｃの識別情報とが印刷装置１００ａに送信される。その後、ユーザＡ（子供）が外出していても在宅であっても、ユーザＢ（親）が外出先から帰宅して印刷装置１００ａに近付くだけで印刷装置１００ａにより文書データファイルＸの内容が用紙に印刷される。これにより、学校の教師等は、子供の親に対して文書データファイルＸの内容を閲覧させることができるようになる。
【００９２】
（他の実施の形態等）
以上、本発明の実施の形態に係る印刷システムについて説明したが、本発明は、この実施の形態に限定されるものではない。
【００９３】
例えば、実施の形態１では、図４で、印刷対象のデータファイルに対して個別的に予約印刷機能の利用の指示（予約指示）を行うＧＵＩ画面の例を示した。しかし、予約印刷機能の利用の指示は、個別的に行う他、包括的に行うものであっても良い。即ち、端末装置２００がユーザから、どのデータファイルの印刷も予約印刷機能を用いて行う旨の包括的な指示を受けて、これに従って印刷制御動作を行うこととしても良い。
【００９４】
また、端末装置２００は、予約指示を受けていない場合において、印刷装置１００と無線ＬＡＮにより通信可能でないという検査結果が得られたらエラー表示（図５、ステップＳ６）をして印刷制御動作を終了した。しかし、通信可能でないという検査結果が得られても再度検査を行い（ステップＳ２）、所定回数（例えば３回）までは検査を繰り返してそれでも通信可能でないという検査結果が継続するのであればエラー表示をして印刷制御動作を終了することとしても良い。
【００９５】
また、実施の形態１では、印刷装置１００の無線部１１０が所定のＳＳＩＤを含むビーコン信号を周期的に送信することで無線ＬＡＮのアクセスポイントとして機能し、ビーコン信号の送信出力は所定の強度（例えば１ｍＷ）に抑制しても良いことを示したが、更に、別のＳＳＩＤを含むビーコン信号を一層強い強度（例えば１５ｍＷ）で周期的に送信することで２つ目のアクセスポイントとしても機能するようにしても良い。図１３は、この場合の２つのアクセスポイントそれぞれの通信可能範囲の境界を示す円１０１と円１０２とを示している。端末装置２００は、予約印刷機能を用いない通常の印刷においては、相対的に強い強度でビーコン信号を送信するアクセスポイントの方にアクセスして印刷対象を示す印刷情報を送信し、予約印刷機能を用いる印刷の場合には相対的に弱い強度でビーコン信号を送信するアクセスポイントの方にアクセスして印刷対象を示す印刷情報を送信することとしても良い。予約印刷機能を用いた場合の印刷について通常の印刷より通信可能範囲の狭いアクセスポイントを用いることは、予約印刷機能により外出先で印刷を指示したユーザが印刷装置の近くに戻るだけで印刷された結果として印刷物が放置されることの防止に役立つ。なお、例えば円１０２の範囲が、印刷装置が設置された施設内の大部分を包含するように設定しておけば、印刷装置が設置された施設内に居るユーザが端末装置２００で通常の印刷を行う場合には、印刷装置に特に近付く必要がない。
【００９６】
また、実施の形態１〜３で示した印刷装置は、無線ＬＡＮのアクセスポイントとしての機能を有することとしたが、必ずしも無線ＬＡＮのアクセスポイントとして機能しなくても良く、外部の無線ＬＡＮのアクセスポイント（無線装置）と通信可能にＬＡＮで接続されていても良い。また、印刷装置と端末装置との間での通信は無線ＬＡＮに依らず、通信可能範囲が例えば１００ｍ以下等と比較的小さい所謂近距離無線通信規格、例えばＢｌｕｅｔｏｏｔｈ（登録商標）規格等、に従った通信に依ることとしてもよい。
【００９７】
また、実施の形態１〜３で示した印刷対象は、画像データファイル、移動経路データファイル等であったが、印刷対象は、例えば、端末装置内部に保持された画像、文書、画像のインデックス（前回印刷した時からの差分となる画像、当日に撮影した画像等）、電子マネーでの物品等の購入履歴、ヘルスケア情報（移動距離、歩数、消費カロリー、血圧等の情報）等であっても良い。例えば、実施の形態２で示した印刷システムにおいて、電子マネーでの購入履歴を記録したデータファイルの種別を印刷対象として指定した場合において、既に前回までに印刷した購入履歴を除いた新しい購入履歴に限定して印刷されるようにしても良い。また、印刷対象は、ネットワークを介して配信される外部の情報（ニュース、インターネット上で投稿されたメッセージ等）であっても良い。
【００９８】
また、上記の印刷システムを構成する各装置の全部又は一部は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９９】
さらに、上記の各装置を構成する構成要素の一部または全部は、１個のシステムＬＳＩ（Large Scale Integration：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１００】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１０１】
また、本発明は、上記に示すステップ（手順）を実行する方法であるとしても良い。また、本発明は、これらの方法をコンピュータにより実現するコンピュータプログラムであるとしても良いし、このコンピュータプログラムからなるデジタル信号であるとしても良い。
【０１０２】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１０３】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０４】
また、本発明は、マイクロプロセッサとメモリを備えたコンピュータシステムであって、このメモリは、上記コンピュータプログラムを記憶しており、マイクロプロセッサは、上記コンピュータプログラムに従って動作するとしても良い。
【０１０５】
また、上記プログラムまたは上記デジタル信号を上記非一時的な記録媒体に記録して移送することにより、または上記プログラムまたは上記デジタル信号を、上記ネットワーク等を経由して移送することにより、独立した他のコンピュータシステムにより実施するとしても良い。
【０１０６】
さらに、上記実施の形態及び上記変形例をそれぞれ組み合わせるとしても良い。
【産業上の利用可能性】
【０１０７】
本発明は、端末装置により指定された印刷対象を印刷するための印刷システムに利用できる。
【符号の説明】
【０１０８】
１０、１０ａ、１０ｂ  印刷システム
１００、１００ａ  印刷装置
１１０  無線部
１２０、１２０ａ  印刷部
１３０  取得部
１４０  検査部（印刷装置内の検査部）
２００、２００ａ、２００ｂ、２００ｃ  端末装置
２１０  記憶部
２２０、２２０ａ  受付部
２３０、２３０ａ  特定部
２４０、２４０ａ  検査部（端末装置内の検査部）
２５０  送信部
２６０  計測部
【図１】
2016029545.tif 000003
【図２】
2016029545.tif 000004
【図３】
2016029545.tif 000005
【図４】
2016029545.tif 000006
【図５】
2016029545.tif 000007
【図６】
2016029545.tif 000008
【図７】
2016029545.tif 000009
【図８】
2016029545.tif 000010
【図９】
2016029545.tif 000011
【図１０】
2016029545.tif 000012
【図１１】
2016029545.tif 000013
【図１２】
2016029545.tif 000014
【図１３】
2016029545.tif 000015